(57)【要約】      （修正有）【課題】シートクッションがチップアップされた状態においても、送風ファンを異物、水等から保護することが可能な自動車を提供する。【解決手段】本開示の一態様に係る自動車は、シートクッション１１を有するチップアップシート１と、蓄電池２と、蓄電池２を冷却する冷却装置３とを備える。蓄電池２は、乗員が着座可能な通常状態にあるシートクッション１１の下方に配置されている。冷却装置３は、送風ファン３１と、排気ダクト３３とを有している。送風ファン３１は、蓄電池２に空気を供給するとともに、通常状態にあるシートクッション１１の下方に配置されている。排気ダクト３は、蓄電池２を通過した空気を車室内の乗員に影響がない箇所へと排出する。排気ダクト３３は、通常状態にあるシートクッション１１と送風ファン３１との間に配置されている。平面視において、排気ダクト３３の幅は、送風ファン３１の幅よりも広い。【選択図】図３
2020117183.tif 000002
【特許請求の範囲】
【請求項１】
シートクッションを有するチップアップシートと、
蓄電池と、
前記蓄電池を冷却する冷却装置とを備え、
前記蓄電池は、乗員が着座可能な通常状態にある前記シートクッションの下方に配置され、
前記冷却装置は、前記蓄電池に空気を供給するとともに、前記通常状態にある前記シートクッションの下方に配置された送風ファンと、前記蓄電池を通過した空気を車室内の乗員に影響がない箇所に排出する排気ダクトとを有し、
前記排気ダクトは、前記通常状態にある前記シートクッションと前記送風ファンとの間に配置されており、
平面視において、前記排気ダクトの幅は、前記送風ファンの幅よりも広い、自動車。
【発明の詳細な説明】
【技術分野】
【０００１】
本開示は、自動車に関する。
【背景技術】
【０００２】
特許文献１（特開２０１４−０５４８６４号公報）には、蓄電装置の冷却構造が記載されている。特許文献１に記載の蓄電装置の冷却構造は、シートと、電池パックと、送風ファンと、排気ダクトとを有している。
【０００３】
シートは、シートクッションを有している。電池パックは、シートクッションの下方に配置されている。送風ファンは、電池パックに対して、電池パックを冷却するための空気を供給する。送風ファンは、シートクッションの下方に配置されている。排気ダクトは、電池パックを通過した空気を車室内の乗員に影響がない箇所に排出する。
【０００４】
その他の蓄電装置の冷却構造としては、特許文献２（特開２０１８−０８６９８３号公報）に記載されているものがある。
【先行技術文献】
【特許文献】
【０００５】
【特許文献１】特開２０１４−０５４８６４号公報
【特許文献２】特開２０１８−０８６９８３号公報
【発明の概要】
【発明が解決しようとする課題】
【０００６】
特許文献１に記載の蓄電装置の冷却構造において、シートがチップアップシートである場合（すなわち、シートクッションがチップアップ可能に構成されている場合）、シートクッションをチップアップした状態において、送風ファンがむき出しになってしまう。その結果、送風ファンへの異物の噛み込み、水の浸入等が懸念される。
【０００７】
本開示は、上記のような従来技術の問題点に鑑みてなされたものである。より具体的には、本開示は、シートクッションがチップアップされた状態においても、送風ファンを異物、水等から保護することが可能な自動車を提供するものである。
【課題を解決するための手段】
【０００８】
本開示の一態様に係る自動車は、シートクッションを有するチップアップシートと、蓄電池と、蓄電池を冷却する冷却装置とを備える。蓄電池は、乗員が着座可能な通常状態にあるシートクッションの下方に配置されている。冷却装置は、送風ファンと、排気ダクトとを有している。送風ファンは、蓄電池に空気を供給するとともに、通常状態にあるシートクッションの下方に配置されている。排気ダクトは、蓄電池を通過した空気を車室内の乗員に影響がない箇所に排出する。排気ダクトは、通常状態にあるシートクッションと送風ファンとの間に配置されている。平面視において、排気ダクトの幅は、送風ファンの幅よりも広い。
【０００９】
本開示の一態様に係る自動車において、排気ダクトは、通常状態にあるシートクッションと送風ファンとの間に配置されているとともに、その幅が送風ファンの幅よりも広くなっている。その結果、平面視において送風ファンが排気ダクトにより覆われており、排気ダクトが送風ファンに対する防護壁の役割を果たすことになる。そのため、本開示の一態様に係る自動車によると、シートクッションがチップアップされた状態においても、送風ファンを異物、水等から保護することが可能となる。
【発明の効果】
【００１０】
本開示の一態様に係る自動車によると、シートクッションがチップアップされた状態においても、送風ファンを異物、水等から保護することが可能となる。
【図面の簡単な説明】
【００１１】
【図１】実施形態に係る車両の概略斜視図である。
【図２】実施形態に係る車両の平面図である。
【図３】図２のＩＩＩ−ＩＩＩにおける断面図である。
【図４】図２のＩＶ−ＩＶにおける断面図である。
【図５】実施形態に係る車両の詳細斜視図である。
【発明を実施するための形態】
【００１２】
実施形態の詳細を、図面を参酌しながら説明する。以下の図面においては、同一又は相当する部分に同一の参照符号を付し、重複する説明は繰り返さないものとする。
【００１３】
（実施形態に係る自動車の構成）
図１は、実施形態に係る車両の概略斜視図である。図２は、実施形態に係る車両の平面図である。図２中においては、チップアップシート１の図示が省略されている。図３は、図２のＩＩＩ−ＩＩＩにおける断面図である。図３中においては、蓄電池２の内部構造の図示が省略されている。図４は、図２のＩＶ−ＩＶにおける断面図である。図５は、実施形態に係る車両の詳細斜視図である。図５中においては、チップアップシート１の図示が省略されている。
【００１４】
図１〜図５に示されるように、実施形態に係る自動車は、チップアップシート１と、蓄電池２と、冷却装置３とを有している。実施形態に係る自動車は、ピラー４と、シートアンダーカバー５とをさらに有していてもよい。なお、実施形態に係る自動車は、例えば、ハイブリッド車又は電気自動車である。
【００１５】
チップアップシート１は、シートクッション１１と、バッククッション１２とを有している。チップアップシート１は、ヘッドレスト（図示せず）をさらに有している。チップアップシート１は、シートクッション１１をチップアップ可能に構成されている。より具体的には、チップアップシート１において、シートクッション１１は、バッククッション１２に近づくように跳ね上げ可能になっている。チップアップシート１は、例えばバックシートになっている。
【００１６】
シートクッション１１がチップアップされた状態を、「チップアップ状態」という。シートクッション１１がチップアップされていない状態、すなわち、乗員がシートクッション１１に着座可能となっている状態を、「通常状態」という。図１中においては、図中左側にあるチップアップシート１は通常状態にあり、図中右側にあるチップアップシート１はチップアップ状態にある。
【００１７】
なお、チップアップシート１に代えて、通常のシートが用いられてもよい。このシートは、シートクッション１１と、バッククッション１２とを有しているが、シートクッション１１がバッククッション１２に近づくように跳ね上げ可能とはなっていない。
【００１８】
蓄電池２は、例えば、リチウム（Ｌｉ）イオン電池の電池パックである。蓄電池２は、ニッケル（Ｎｉ）水素電池の電池パックであってもよい。蓄電池２は、通常状態にあるシートクッション１１の下方に配置されている。蓄電池２の側面には、第１開口及び第２開口が形成されている。第１開口は、当該側面の上端に形成されており、第２開口は、当該側面の下端に形成されている。
【００１９】
冷却装置３は、図２〜図５に示されるように、送風ファン３１と、送風ダクト３２と、排気ダクト３３とを有している。
【００２０】
送風ファン３１は、ファン（図示せず）と、当該ファンを駆動するためのファンモータ（図示せず）とを有している。送風ファン３１は、通常状態にあるシートクッション１１の下方に配置されている。送風ダクト３２は、送風ファン３１の吐出口と蓄電池２とを接続している。送風ダクト３２は、蓄電池２の側面に形成されている第１開口に接続されている。送風ダクト３２は、内部に空気が通過する流路を有するように中空になっている。送風ファン３１は、ファンモータを駆動することにより、車室内から空気を取り込むとともに、吐出口から送風ダクト３２を介して蓄電池２の内部へと当該空気を供給する。
【００２１】
蓄電池２の内部に供給された空気は、下方から上方に向かって蓄電池２の内部を移動する（この空気の流れは、図３中において、矢印で示されている）。これにより、蓄電池２の冷却が行われる。蓄電池２を冷却した空気は、蓄電池２の側面に形成されている第２開口から排出される。
【００２２】
排気ダクト３３は、一方端において、蓄電池２に接続されている。より具体的には、排気ダクト３３の一方端は、蓄電池２の側面に形成されている第２開口に接続されている。排気ダクト３３の他方端は、車室内の乗員に影響がない箇所に接続されている。具体的には、排気ダクト３３の他方端は、中空になっているピラー４の内部に接続されている。排気ダクト３３は、内部に空気が通過する流路を有するように、中空になっている。これにより、蓄電池２を通過した空気は、蓄電池２の側面に形成されている第２開口を介して排気ダクト３３に導入され、排気ダクト３３を通過する空気は、車室内の乗員に影響がない箇所（より具体的には、ピラー４の内部）へと排出される。
【００２３】
排気ダクト３３は、通常状態にあるシートクッション１１の下方に配置されている。より具体的には、排気ダクト３３は、通常状態にあるシートクッション１１と送風ファン３１との間に配置されている。
【００２４】
送風ファン３１は、平面視において、幅Ｗ１を有している。幅Ｗ１は、排気ダクト３３の延在方向（第１方向ＤＲ１）に直交している方向（第２方向ＤＲ２）における送風ファン３１の幅である。
【００２５】
排気ダクト３３は、平面視において、幅Ｗ２を有している。幅Ｗ２は、第２方向ＤＲ２における排気ダクト３３の幅である。幅Ｗ２は、幅Ｗ１よりも大きい。このことを別の観点からいえば、送風ファン３１は、平面視において排気ダクト３３に覆われており、チップアップ状態において露出しないようになっている。なお、幅Ｗ２は、第２方向ＤＲ２における蓄電池２の幅以下であることが好ましい。
【００２６】
排気ダクト３３は、第１方向ＤＲ１に直交する断面視において、第２方向ＤＲ２における両端が下方に向かって湾曲するような形状を有していることが好ましい。排気ダクト３３は、音の反射効率が高い材料で形成されていることが好ましい。排気ダクト３３は、例えばポリプロピレンで形成されている。
【００２７】
シートアンダーカバー５は、シートクッション１１の下方にある空間を画するように配置されている壁状の部材である。シートアンダーカバー５と冷却装置３との間には、空間が設けられている。この空間は、例えば、物置用のスペースとして活用可能である。
【００２８】
（実施形態に係る自動車の効果）
以下に、実施形態に係る自動車の効果を説明する。
【００２９】
実施形態に係る自動車においては、排気ダクト３３が、通常状態にあるシートクッション１１と送風ファン３１との間に配置されている。また、実施形態に係る自動車においては、平面視において、排気ダクト３３の幅（幅Ｗ２）が送風ファン３１の幅（幅Ｗ１）よりも広くなっている。すなわち、実施形態に係る自動車においては、送風ファン３１が平面視において排気ダクト３３に覆われており、チップアップ状態において送風ファン３１が露出していない。
【００３０】
その結果、シートクッション１１がチップアップ状態にある際、異物が排気ダクト３３に遮られることにより送風ファン３１のファンモータに噛み込まれにくく、水等が排気ダクト３３に遮られることにより送風ファン３１の内部に侵入しがたい。このように、実施形態に係る自動車によると、シートクッション１１がチップアップされた状態でも、送風ファン３１を異物、水等から保護することが可能となる。
【００３１】
また、排気ダクト３３は中空であり、その内部が空気層となっているため、送風ファン３１から発せられる騒音（ファンモータの回転音等）が、シートクッション１１上に着座している乗員に達するまでに当該空気層により減衰される。そのため、実施形態に係る自動車によると、シートクッション１１に着座する乗員に対する送風ファン３１からの騒音の影響を低減することが可能となる。
【００３２】
実施形態に係る自動車において、排気ダクト３３がポリプロピレン等の音の反射効率が高い材料で形成されている場合、送風ファン３１から発せられる騒音がシートクッション１１上に着座している乗員に達するまでに排気ダクト３３で反射されやすく、シートクッション１１上に着座している乗員に達しがたくなる。そのため、この場合には、シートクッション１１に着座する乗員に対する送風ファン３１からの騒音の影響をさらに低減することが可能となる。
【００３３】
チップアップシート１に代えて通常のシートが用いられている場合、シートクッション１１が跳ね上げられた状態にならないため、送風ファン３１への異物の噛み込み、水の浸入等は懸念されない。しかしながら、この場合も、排気ダクト３３が送風ファン３１とシートクッション１１との間に配置されている以上、シートクッション１１に着座する乗員に対する送風ファン３１からの騒音の影響を低減することが可能となる。
【００３４】
以上のように本開示の実施形態について説明を行ったが、上述の実施形態を様々に変形することも可能である。また、本発明の範囲は、上述の実施形態に限定されるものではない。本発明の範囲は、特許請求の範囲によって示され、特許請求の範囲と均等の意味及び範囲内での全ての変更を含むことが意図される。
【符号の説明】
【００３５】
１  チップアップシート、１１  シートクッション、１２  バッククッション、２  蓄電池、３  冷却装置、３１  送風ファン、３２  送風ダクト、３３  排気ダクト、４  ピラー、５  シートアンダーカバー、ＤＲ１  第１方向、ＤＲ２  第２方向。
【図１】
2020117183.tif 000003
【図２】
2020117183.tif 000004
【図３】
2020117183.tif 000005
【図４】
2020117183.tif 000006
【図５】
2020117183.tif 000007